(57)【要約】【課題】  寝たきりの人や体を自由に動かせない人の排便、排尿の汚物を取り除き清拭するとき、お尻を支え上げ、丸出し露出しお尻の全面に手指を任意に動かし触れ、処置が容易にでき、誰でも簡単に使える支え具を提供する。【解決手段】  波形板（１）の波のくぼみ（２）（３）に円筒形の軸（４）（５）を波形板の長さに合して設け、波形板（１）に加わる力に応じ円筒形の軸（４）（５）は伸縮することを特徴とする。【選択図】  図２
2005081108.tif 000002
【特許請求の範囲】
【請求項１】
柔軟性と弾力性を有する材料で、上に凸する、下に凸する曲線の波形板（１）を形成し、波のくぼみ（２）（３）に円筒形の軸（４）（５）を設ける。上に凸する、下に凸する曲線は、三角形の三つの点Ａ（６）、Ｂ（７）、Ｃ（８）を結ぶＡ（６）から伸び、Ｂ（７）を通り、Ｂ（７）、Ｃ（８）を結ぶ辺の長さの中心点（９）で屈曲し、Ａ（６）、Ｃ（８）を結ぶ辺の長さの中心点（１０）で屈曲しＣ（８）と結ぶ。波形板（１）に加わる力に応じ、円筒形の軸（４）（５）は伸縮をすることを特徴とする体位支え具。
【発明の詳細な説明】
【発明の詳細な説明】
【技術分野】
【０００１】  本発明は、寝たきりの人や体を自由に動かせない人の排便、排尿の汚物を取り除き、お尻を清拭する処置を、たやすくするための体位姿勢を支える技術の分野に属するものである。
【背景技術】
【０００２】  従来、介助、介護を受ける人の体位姿勢を支えるには、繊維布の枕や座布団やタオルや樹脂材を角形や丸形に形成したクッションがつかわれた。寝床部を傾斜し角度が変わるベッドがあるが、上述の技術は楽な体位姿勢にすることを目的にしたもので、排便、排尿の汚物を取り除き、お尻を清拭するための技術ではない。お尻を丸出し露出し、腰部を持ち上げながら片方の手指でお尻にこびりついたウンコを取り除き、お尻の全面を洗い流し、ふき取る技術は難題で行政と医療機関と家庭に知られている課題である。
【発明の開示】
【発明が解決しようとする課題】
【０００３】  従来の技術には、次のような欠点があった。
クッションを腰部、お尻にあてがうと、体圧で、お尻が沈み込み、丸出し露出したい表面積が狭くなる。クッションとお尻の接触面が広くなると、処置をする作業空間がなくなり、お尻の下部で手指を任意に動かすことが困難になっている。また、お尻の汚れを洗い流す溶剤や湯水を吸収し連続の作業に適しない。【０００４】  介助、介護は、受ける人の体を抱きかかえる、または持ち上げて処置手当てをおこなう。身体を前かがみにし、中腰、膝曲げ、前屈横向きにしておこなわれるこの作業による負担が大きく、下肢、腕、肩、頸部を痛め脊柱障害の発生要因となっていることは行政と家庭に広く知られている。【０００５】  本発明が解決しようとする課題を赤ちゃんを扱うお母さんの技術で述べる。お母さんは、片方の手で赤ちゃんの両足を持ち上げ、お尻を浮かす。一方の手で、おむつを取り除き、お尻についたウンコを取り除きふきとりきれいにする。回数は制限なくおこなう。この時、赤ちゃんの体を横向きに、あお向きに、変換し、股間を広げ、関節を屈伸し、ウンコの良否を判断し、皮膚の疾患の有無を調べ、体に触れる処置が手際よくおこなわれている。お母さんは、手落ちのない処置をするために、赤ちゃんのお尻を丸出し露出し、お尻の周囲に作業空間を十分確保している。上述の技術を、そのまま成人に用いると成人の身体は重く大きいため、片方の手で足部を持ち上げお尻を浮かすことは、不可能である。【０００６】  介助、介護を目的とした機器は、数多く開発されているが、成人のお尻を丸出し露出し股間を広く開き陰部に触れ目視で確認しながら汚れを洗い流す処置をする機器はない。その日その日の気分と症状、心身機能の状態に合わせ丁寧に速やかに行うには手指を任意に動かせる作業空間が必要であった。【０００７】  身体が弱くなった人に用途が異なる技術をもちいると、体の部位を無理に曲げる、ひねる、伸ばす、不自然な体位に変換しながらの作業技術になり、受ける人は苦痛を生じた。丁寧に処置手当てのお世話ができる使い勝手のよい、誰でも容易に使える支え具が要望されていた。本発明は、以上のような欠点をなくするためになされたものである。
【課題を解決するための手段】
【０００８】  上記目的を達成するために、本発明の支え具は、上に凸する、下に凸する曲線の波形板（１）の、波のくぼみ（２）（３）に円筒形の軸（４）（５）を波形板（１）の長さに合わし設け、一体に形成した。上に凸する、下に凸する曲線は、三角形の三つの点Ａ（６）、Ｂ（７）、Ｃ（８）を結ぶＡ（６）から伸びＢ（７）を通り、Ｂ（７）、Ｃ（８）を結ぶ辺の長さの中心点（９）で屈曲し、Ａ（６）、Ｃ（８）を結ぶ辺の長さの中心点（１０）で屈曲しＣ（８）と結ぶ構成に形成した。【０００９】  波形板（１）に加わる力に応じ、波形板（１）の、波のくぼみ（２）（３）に設けた円筒形の軸（４）（５）は伸縮することを特徴とする体位支え具。
【発明の実施形態】
【００１０】  以下、本発明の実施の形態について説明する。
第１図は、本発明にかかわる実施例を示すもので、柔軟性と弾力性を有する材料で一体に形成しつくられる。上に凸する、下に凸する曲線で、波形板（１）を形成し、波のくぼみ（２）（３）に円筒形の軸（４）（５）を波形板（１）の長さに合わして設け形成する。波形板（１）に加わる力に応じ、円筒形の軸（４）（５）が伸縮する。
【００１１】  上に凸する、下に凸する曲線は、三角形の三つの点Ａ（６）・Ｂ（７）・Ｃ（８）を結ぶＡ（６）から伸びＢ（７）を通り、Ｂ（７）Ｃ（８）を結ぶ辺の長さの中心点（９）で屈曲し、Ａ（６）Ｃ（８）を結ぶ辺の長さの中心点（１０）で屈曲しＣ（８）と結ぶ。Ａ（６）、Ｃ（８）間の辺を平面板に形成する。Ｂ（７）Ｃ（８）を結ぶ辺の長さの中心点（９）までを平面板に形成する。Ａ（６）Ｃ（８）を結ぶ辺の長さの中心点（１０）とＣ（８）の間を平面板に形成する。
【００１２】  上に凸する、下に凸する曲線のＡ（６）、Ｂ（７）を結ぶ辺とＢ（７）、Ｃ（８）を結ぶ辺の長さの中心点（９）で屈曲しＡ（６）、Ｃ（８）を結ぶ辺の長さの中心点（１０）で屈曲する辺との間の波のくぼみ（２）に円筒形の軸（４）を設ける。Ｂ（７）、Ｃ（８）を結ぶ辺の中心点（９）とＣ（８）との間の波のくぼみ（３）に円筒形の軸（５）を設ける。
【００１３】  上に凸する、下に凸する曲線の波形板（１）と、波のくぼみ（２）（３）に設けた円筒形の軸（４）（５）は一体に形成し三角柱形状に構成される。
【００１４】  Ａ、Ｂを結ぶ辺、Ｂ、Ｃを結ぶ辺、Ａ、Ｃを結ぶ辺は、それぞれ身体と接触でき、ひとつの辺が身体と接触すると、他の辺は支持基盤の作用をする。
【００１５】  円筒形の軸（４）（５）は伸縮し、もたれかかる力の衝撃を緩和する。
【００１６】  大きさは、腰部を支え浮かし、お尻の下で手指が任意に運動できる空間を求められる寸法に講じ形成する。
【００１７】  腰部とお尻をななめ上向きに支えるときは、体位をいったん横向きにし、腰部と寝床の間に、本発明の任意の辺を腰部に向け置き、体位をもどせば本発明が体を受け止め支える。
【００１８】  お尻を上向きに浮かし持ち上げるときは、体位をいったん横向きにし腰部と寝床の間に、本発明を任意の方向にむけ置き、体位を上向きにもどせば、腰部は本発明に乗り上げる。
【００１９】  本発明を取り除くときは、もたせかけた体位を横向きに少し押し、一方の手で引く。
【００２０】  本発明を当てた位置を移動するときは、体位を横向きに少し押し、一方の手で任意の部位に移しあてる。
【発明の効果】
【００２１】  本発明は、以上説明したように構成されるので以下に記載されるような効果を奏する。
【００２２】  腰部を支え上げ、お尻を丸出し露出でき、お尻が浮き上がった体位姿勢がつくれて介助、介護の処置作業の空間ができ、お尻の全面に両手を任意に動かせて排便排尿の汚物の取り除きと清拭が容易になる。
【００２３】  お尻と寝床の間に空間を広くつくり、股間を広く開くことができ、困難であった陰部の洗い流しが目視で確認できる。
【００２４】  片方の手で持ち上げや抱きかかえ、一方の手でお尻の全面に手指を働かせる処置作業による身体疲労を軽滅し腕、肩、腰の痛みや脊柱障害をふせぐ。
【００２５】  処置作業にあわせて体位姿勢を上向き、横向き、ななめ向き、ひねり、曲げ伸ばしの不自然な変換を幾度もすることがなくなり、受ける人にあたえる苦痛をなくする。
【００２６】  お尻と寝床との間で押さえつけられたおむつを、抜きとるときに生じる摩擦がなくなり、取りかえが容易になった。
【００２７】  自立するために少しでも動こうとする体位姿勢を補助する。
【図面の簡単な説明】
【００２８】
【図１】  側面図
【図２】  斜視図
【符号の説明】
【００２９】１      波形板
２      波のくぼみ
３      波のくぼみ
４      円筒形の軸
５      円筒形の軸
６      三角形の三つの点Ａ
７      三角形の三つの点Ｂ
８      三角形の三つの点Ｃ
９      ＢとＣを結ぶ辺の中心点
１０    ＡとＣを結ぶ辺の中心点
【図１】
2005081108.tif 000003
【図２】
2005081108.tif 000004